(57)【特許請求の範囲】
【請求項１】
給油所に位置する携帯電話機からの電磁波の発信を検知する電磁波センサと、前記給油所の地下に埋設された貯油タンクの内部に連通し地上に注油口を有する注油管の該注油口に電磁弁が設けられてタンクローリからの注油ホースが接続され、前記電磁波センサからの検知信号を受けて前記電磁弁を閉じて前記タンクローリから貯油タンクへの注油を停止し、また前記携帯電話機の使用禁止を表示する表示器または使用禁止を報知する報知器を有する前記注油口の近傍に設けられた報知手段を作動させる制御手段とを備えたことを特徴とする給油所用注油管理装置。
【発明の詳細な説明】
【０００１】
【発明の属する技術分野】
本発明は、携帯電話機から発信される電磁波を検知してタンクローリからの注油を管理する給油所用注油管理装置に関するものである。
【０００２】
【従来の技術】
近年、移動体通信が注目されており、特に携帯電話機は急速に普及し拡大しつつあるが、その一方では携帯電話機から発信される電磁波によって、機器が誤作動する等の社会的な問題が発生している。ガソリン等の危険物を取り扱う給油所においては、携帯電話機の発信または着信の際に弱電流が発生し、これが原因で給油装置周辺で滞留するベーパー及び給油口から流出するベーパーに引火して、爆発等の事故につながるおそれがある。また、地下の貯油タンクにタンクローリから燃料油を荷卸しする際に、貯油タンク内に滞留したベーパーが燃料の注油に伴ってエアーベントを介して大気中に流出し、ベーパーが滞留する原因となる。
【０００３】
【発明が解決しようとする課題】
しかしながら、従来の給油所においては、タンクローリから貯油タンクに燃料油を荷卸しする際に、作業員に携帯電話機の使用を禁止しても、気付かないで誤って使用したり、あるいは携帯電話機の電源を入れていることを忘れていて着信することがあり、そのため滞留するベーパーに引火して、爆発等の事故につながるおそれがあった。
【０００４】
本発明は上記事情に鑑みなされたもので、給油所において携帯電話機を誤って使用した場合でも、ベーパーへの引火・爆発等の事故を未然に防止できる給油所用注油管理装置を提供することを目的とする。
【０００５】
【課題を解決するための手段】
上記目的を達成するために、本発明の給油所用注油管理装置は、給油所に位置する携帯電話機からの電磁波の発信を検知する電磁波センサと、前記給油所の地下に埋設された貯油タンクの内部に連通し地上に注油口を有する注油管の該注油口に電磁弁が設けられてタンクローリからの注油ホースが接続され、前記電磁波センサからの検知信号を受けて前記電磁弁を閉じて前記タンクローリから貯油タンクへの注油を停止し、また前記携帯電話機の使用禁止を表示する表示器または使用禁止を報知する報知器を有する前記注油口の近傍に設けられた報知手段を作動させる制御手段とを備えたことを特徴とするものである。電磁波センサで携帯電話機から発信される電磁波を検知して制御手段が注油を停止し、報知手段で報知することで、給油所において携帯電話機を誤って使用した場合でも、ベーパーへの引火・爆発等の事故を未然に防止できる。また、報知手段が注油口近傍に設けられたことが、操作する近傍で報知できる点で好ましく、表示器または報知器であることが、簡単に報知できる点で好ましい。
【０００９】
【発明の実施の形態】
以下、本発明を図示の一実施形態により具体的に説明する。図１〜図３は本発明実施形態の給油所用注油管理装置を説明する図であり、図１は給油所用注油管理装置を備えた給油所を示す図、図２は給油所用注油管理装置の構成を示すブロック図、図３は操作パネルを説明する図である。
【００１０】
図１において、本実施形態の給油所用注油管理装置１０を備える給油所Ｓの地下には、燃料油を貯める貯油タンク１１が埋設されており、地上に設置された給油装置１２から給油管１３を貯油タンク１１内に連通さて給油できるようにしている。この貯油タンク１１には、その内部に連通し地上に注油口１４を有する注油管１５と、一端部が貯油タンク１１の上部空間で開口し他端部が大気中で開口したエアーベント１６と、燃料油の液面を検知する液面センサ１７とが設けられている。注油口１４は、注油口箱１８に収納され、その注油口１４を開閉する電磁弁１９が設けられてタンクローリＡからの注油ホース２０が接続されるようになっている。また、エアーベント１６途中にはベーパーをタンクローリＡに戻すベーパー戻りホース２１の一端部を連結するベーパー戻りホース連結部２２が設けられ、この連結部２２にベーパー戻りホース２１が正しく連結されていることを検知する連結センサ２３が設けられている。注油口箱１８の近傍の壁の表面には、注油管理を行うための操作パネル３０が設けられている。また、注油を行うタンクローリＡ近傍の、例えば、キャノピー２４の下部には携帯電話機１から発信される電磁波を検知する電磁波センサ２５が設けられている。この電磁波センサ２５は、例えば、１０メートル程度の範囲内にある携帯電話機１から発信される特定の周波数の電磁波を検知するセンサである。
【００１１】
操作パネル３０は、データ入力用のキーボード３１と、注油操作用のスイッチ３２と、入力データや貯油タンク１１内の燃料油量あるいは携帯電話機１が使用されたときの注意表示等を行う表示器３３と、携帯電話機１が使用されたとき報知する報知器３４と、表示部駆動手段３５と、報知器駆動手段３６と、電磁弁駆動手段３７と、各部を制御する制御手段３８等とを備えている。スイッチ３２は、注油を開始するための開始スイッチ３２ａと、注油を終了するための終了スイッチ３２ｂと、注油を再開するための再注油スイッチ３２ｃとを有する。
【００１２】
制御手段３８は、液面センサ１７、連結センサ２３及び電磁波センサ２５からの検知信号、キーボード３１からの入力データあるいはスイッチ３２のオン・オフ信号等を入力信号として、入力データ、油面あるいは報知を表示するための信号を表示器駆動手段３５に出力し、報知のための信号を報知器駆動手段３６に出力し、電磁弁１９を開閉するための信号を電磁弁駆動手段３７に出力する部分である。
【００１３】
次に、上記構成の給油所用注油管理装置１０の動作を説明する。図４は本発明実施形態の給油所用注油管理装置の動作を説明するフローチャートである。
【００１４】
まず、タンクローリＡから貯油タンク１１へ燃料油の注油を開始する前に、操作パネル３０に設けたキーボード３１より貯油タンクの番号を入力し、注油ホース２０を注油口１４に連結し、ベーパー戻りホース２１を連結部２２に連結する。
【００１５】
次に、同図に示すように、操作パネル３０の開始スイッチ３２ａをオンすると（ＳＴ１）、制御手段３８は連結部２２に設けられた連結センサ２３からの正しく連結されている検知信号を受信して（ＳＴ２）、注油口１４に設けられた電磁弁１９を開く（ＳＴ３）。これにより、タンクローリＡから燃料油が注油ホース２０及び注油管１５を通って貯油タンク１１へ給油され、その液面は液面センサ１７で検知され、貯油タンク１１のベーパーはエアベント１６からベーパー戻りホース２１を通ってタンクローリＡに戻される。連結部２２にベーパー戻りホース２１が正しく連結されていないとき、あるいはベーパー戻りホース２１を連結部２２に連結するのを忘れたときには、注油口１４の電磁弁１９を開くことができないため、貯油タンク１１のべーパーがエアベント１６から大気中に放出されることがなくなる。
【００１６】
次に、注油中に電磁波センサ２５が携帯電話機１からの電磁波を検知せずに（ＳＴ４）、注油を終了した後、終了スイッチ３２ｂを押したときには（ＳＴ５）、注油口１４の電磁弁１９が閉じて（ＳＴ６）注油を終了する。しかし、注油中に電磁波センサ２５が携帯電話機１からの電磁波を検知したときには（ＳＴ４）、注油口１４の電磁弁１９を閉じるとともに、表示器駆動手段３５により表示器３３に携帯電話機１の使用禁止を表示する報知をすると同時に報知器駆動手段３６により報知器３４で報知される（ＳＴ７）。したがって、注油中に誤って携帯電話機１を使用したときには、注油を停止してベーパーへの引火・爆発等の事故を未然に防止できる。引き続き電磁波センサ２５が電磁波を検知している（ＳＴ８）間では、注油停止状態を維持しているが、電磁波を検知しなくなり再注油スイッチ３２ｃを押したときには（ＳＴ９）、注油口１４の電磁弁１８を開き（ＳＴ１０）、再び電磁波検知のステップ（ＳＴ４）に戻る。
【００１７】
上記構成の給油所用注油管理装置１０では、タンクローリＡから燃料油を貯油タンク１１に注油するときに、ベーパー戻りホース２１を連結部２２に正しく連結しなかったり、連結を忘れたときには、連結センサ２３からの検知信号に基づいて注油を開始できないようにしているため、貯油タンク１１内のべーパーがエアベント１６を通って大気中に放出されることがない。また、燃料油の注油中に携帯電話機１を使用したときには、注油口１４に接続された電磁弁１９を閉じることで注油を停止するとともに、表示器３３に注意表示を行い同時に報知器３４で報知して携帯電話機１を使用しないように注意できるため、ベーパーへの引火・爆発等の事故を未然に防止できる。携帯電話機１を使用して注油が停止した後に携帯電話機１を使用しなくなったときに、再注油スイッチ３２ｃを押せば、再び注油を継続することができる。
【００１８】
なお、上記実施形態において、電磁波センサ２５で携帯電話機１から発信される電磁波を検知して注油を停止し、同時に表示器３３及び報知器３４で報知する例を説明したが、注油の停止または報知の一方のみであってもよく、報知する場合に、報知器３４だけであってもよい。報知器３４は、表示灯あるいはブザー等の発音器による報知等を使用することができる。
【００１９】
【発明の効果】
以上説明したように、本発明によれば、電磁波センサで携帯電話器から発信される電磁波を検知して制御手段がタンクローリから貯油タンクへの注油を停止するか、報知手段で報知することで、給油所において携帯電話器を誤って使用した場合でも、ベーパーへの引火・爆発等の事故を未然に防止できる。
【図面の簡単な説明】
【図１】本発明実施形態の給油所用注油管理装置備えた給油所を示す図である。
【図２】本発明実施形態の給油所用注油管理装置の構成を示すブロック図である。
【図３】本発明実施形態の操作パネルを説明する図である。
【図４】本発明実施形態の給油所用注油管理装置の動作を説明するフローチャートである。
【符号の説明】
１  携帯電話機
１０  給油所用注油管理装置
１１  貯油タンク
１２  給油装置
１３  給油管
１４  注油口
１５  注油管
１６  エアーベント
１７  液面センサ
１８  注油口箱
１９  電磁弁
２０  注油ホース
２１  ベーパー戻りホース
２２  ホース連結部
２３  連結センサ
２４  キャノピー
２５  電磁波センサ
３０  操作パネル
３１  キーボード
３２  スイッチ
３２ａ  開始スイッチ
３２ｂ  終了スイッチ
３２ｃ  再注油スイッチ
３３  表示器
３４  報知器
３５  表示部駆動手段
３６  報知器駆動手段
３７  電磁弁駆動手段
３８  制御手段
【図１】
0003975313.tif 000002
【図２】
0003975313.tif 000003
【図３】
0003975313.tif 000004
【図４】
0003975313.tif 000005